(57)【要約】【課題】ユーザの体感に近い温度を検出する温度センサを選択して空調制御を実行する空調システムを提供する。【解決手段】空調システムは、１台以上の無線リモコンと、１台以上の室内機とを備え、前記無線リモコンおよび前記室内機のうちの何れかが備える温度センサのうち、ユーザの感じる温度に近い温度を検出する温度センサを選択して、選択した前記温度センサが計測する温度と設定温度に基づいて空調制御を行う。【選択図】図１
2020201018.tif 000002
【特許請求の範囲】
【請求項１】
１台以上の無線リモコンと、１台以上の室内機と、を備え、
前記無線リモコンおよび前記室内機のうちの何れかが備える温度センサのうち、ユーザの感じる温度に近い温度を検出する温度センサを選択して、選択した前記温度センサが計測する温度と設定温度に基づいて空調制御を行う、
空調システム。
【請求項２】
操作頻度が最も高い前記無線リモコンが備える温度センサを選択する、
請求項１に記載の空調システム。
【請求項３】
最後に操作された前記無線リモコンが備える温度センサを選択する、
請求項１に記載の空調システム。
【請求項４】
温度センサを備える複数の前記無線リモコンを備える場合、各々の前記無線リモコンが備える前記温度センサが計測した温度に対し、各々の前記無線リモコンに対する操作頻度に応じた重み付けを付して算出した温度に基づいて空調制御を行う、
請求項１に記載の空調システム。
【請求項５】
操作された前記無線リモコンと最も近い位置に存在する前記室内機が備える温度センサを選択する、
請求項１に記載の空調システム。
【請求項６】
操作頻度が最も高い前記無線リモコンと最も近い位置に存在する前記室内機が備える温度センサを選択する、
請求項１に記載の空調システム。
【請求項７】
選択された前記無線リモコンが備える温度センサが計測する温度と、該無線リモコンと最も近い位置に存在する前記室内機が備える温度センサが計測する温度の加重平均を算出して、算出した温度に基づいて空調制御を行う、
請求項２から請求項３の何れか１項に記載の空調システム。
【請求項８】
１台以上の無線リモコンと、１台以上の室内機と、を備える空調システムの制御方法であって、
前記無線リモコンおよび前記室内機のうちの何れかが備える温度センサのうち、ユーザの感じる温度に近い温度を検出する温度センサを選択して、選択した前記温度センサが計測する温度と設定温度に基づいて空調制御を行う、
制御方法。
【請求項９】
１台以上の無線リモコンと、１台以上の室内機と、を備える空調システムのコンピュータを、
前記無線リモコンおよび前記室内機のうちの何れかが備える温度センサのうち、ユーザの感じる温度に近い温度を検出する温度センサを選択して、選択した前記温度センサが計測する温度と設定温度に基づいて空調制御を行う手段、
として機能させるためのプログラム。
【発明の詳細な説明】
【技術分野】
【０００１】
本発明は、空調システム、制御方法及びプログラムに関する。
【背景技術】
【０００２】
空調機の室内機や無線リモコンには、温度センサが設けられている。空調機は、ユーザが設定した設定温度と、室内機や無線リモコンに設けられた温度センサが計測した温度の差に基づいて、空調制御を行う。
例えば、特許文献１には、外気温との関係に応じて、リモコンの温度センサおよび室内機の温度センサのどちらを使用して空調制御を行うかを選択する処理が記載されている。
【先行技術文献】
【特許文献】
【０００３】
【特許文献１】特開２０１２−１８４８７７号公報
【発明の概要】
【発明が解決しようとする課題】
【０００４】
空調機の空調制御には、ユーザの体感に近い温度を検出する温度センサを使用することが望ましい。
【０００５】
そこでこの発明は、上述の課題を解決することのできる空調システム、制御方法及びプログラムを提供することを目的としている。
【課題を解決するための手段】
【０００６】
本発明の一態様によれば、空調システムは、１台以上の無線リモコンと、１台以上の室内機と、を備え、前記無線リモコンおよび前記室内機のうちの何れかが備える温度センサのうち、ユーザの感じる温度に近い温度を検出する温度センサを選択して、選択した前記温度センサが計測する温度と設定温度に基づいて空調制御を行う。
【０００７】
本発明の一態様によれば、前記空調システムでは、操作頻度が最も高い前記無線リモコンが備える温度センサを選択する。
【０００８】
本発明の一態様によれば、前記空調システムでは、最後に操作された前記無線リモコンが備える温度センサを選択する。
【０００９】
本発明の一態様によれば、前記空調システムが、温度センサを備える複数の前記無線リモコンを備える場合、各々の前記無線リモコンが備える前記温度センサが計測した温度に対し、各々の前記無線リモコンに対する操作頻度に応じた重み付けを付して算出した温度に基づいて空調制御を行う。
【００１０】
本発明の一態様によれば、前記空調システムでは、操作された前記無線リモコンと最も近い位置に存在する前記室内機が備える温度センサを選択する。
【００１１】
本発明の一態様によれば、前記空調システムでは、操作頻度が最も高い前記無線リモコンと最も近い位置に存在する前記室内機が備える温度センサを選択する。
【００１２】
本発明の一態様によれば、前記空調システムでは、選択された前記無線リモコンが備える温度センサが計測する温度と、該無線リモコンと最も近い位置に存在する前記室内機が備える温度センサが計測する温度の加重平均を算出して、算出した温度に基づいて空調制御を行う。
【００１３】
本発明の一態様によれば、制御方法は、１台以上の無線リモコンと、１台以上の室内機と、を備える空調システムの制御方法であって、前記無線リモコンおよび前記室内機のうちの何れかが備える温度センサのうち、ユーザの感じる温度に近い温度を検出する温度センサを選択して、選択した前記温度センサが計測する温度と設定温度に基づいて空調制御を行う。
【００１４】
本発明の一態様によれば、プログラムは、１台以上の無線リモコンと、１台以上の室内機と、を備える空調システムのコンピュータを、前記無線リモコンおよび前記室内機のうちの何れかが備える温度センサのうち、ユーザの感じる温度に近い温度を検出する温度センサを選択して、選択した前記温度センサが計測する温度と設定温度に基づいて空調制御を行う手段、として機能させる。
【発明の効果】
【００１５】
本発明によれば、ユーザの体感に近い温度に基づいて、空調制御を行うことができる。
【図面の簡単な説明】
【００１６】
【図１】本発明の第一実施形態における空調システムの一例を示すブロック図である。
【図２】本発明の第一実施形態における空調制御の一例を示す第１の図である。
【図３】本発明の第一実施形態における空調制御の一例を示す第２の図である。
【図４】本発明の第二実施形態における空調システムの一例を示すブロック図である。
【図５】本発明の第二実施形態における空調制御の一例を示す図である。
【図６】本発明の一実施形態における空調システムのハードウェア構成の一例を示す図である。
【発明を実施するための形態】
【００１７】
＜第一実施形態＞
以下、本発明の第一実施形態による空調システムについて図面を参照して説明する。
図１は、本発明の一実施形態における空調システムの一例を示すブロック図である。
図示するように空調システムは、室内機２０Ａ、無線リモコン１０Ａ，１０Ｂを備える。無線リモコン１０Ａ等は３台以上であってもよい。無線リモコン１０Ａ，１０Ｂと室内機２０Ａとは対応付けられている。つまり、無線リモコン１０Ａ、１０Ｂの何れからも室内機２０Ａに対して冷暖房運転の開始や終了、室内温度の設定などの操作が可能であるとする。
【００１８】
また、室内機２０Ａと無線リモコン１０Ａは所定の周期で通信を行っている。例えば、無線リモコン１０Ａは、無線リモコン１０Ａが備える温度センサ１４Ａが計測した温度を所定の周期ごとに室内機２０Ａへ送信する。
同様に室内機２０Ａと無線リモコン１０Ｂは所定の周期で通信を行っている。例えば、無線リモコン１０Ｂは、温度センサ１４Ｂが計測した温度を所定の周期ごとに室内機２０Ａへ送信する。
【００１９】
（室内機の構成）
室内機２０Ａの機能構成について説明する。室内機２０Ａは、無線通信回路２１Ａと、制御マイコン２２Ａと、温度センサ２３Ａと、センサ入力回路２４Ａと、アクチュエータ出力回路２５Ａと、計時回路２６Ａと、空調制御通信回路２７Ａと、を備える。
【００２０】
無線通信回路２１Ａは、無線リモコン１０Ａ，１０Ｂと無線通信を行う。
制御マイコン２２Ａは、ＣＰＵなどを備えたコンピュータである。制御マイコン２２Ａは、室内機２０Ａの動作を制御する。例えば、制御マイコン２２Ａは、無線リモコン１０Ａ，１０Ｂ、室内機２０Ａが備える温度センサのうち、ユーザの感じる温度に近い温度を検出する温度センサを選択して、選択した温度センサが計測する温度とユーザが設定した設定温度とに基づいて空調制御を行う。また、制御マイコン２２Ａは、室内機２０Ａが無線リモコン１０Ａ，１０Ｂと所定の周期で通信を行うよう制御する。
【００２１】
温度センサ２３Ａは、例えば、室内機２０Ａの吸込口に設けられた温度センサである。
センサ入力回路２４Ａは、温度センサ２３Ａや、不図示の湿度センサ、人感センサなどの室内機２０Ａが備える各種センサの計測値を取得する。センサ入力回路２４Ａは、各種センサが計測した電流や電圧等の計測値を温度、湿度などの物理量に変換して制御マイコン２２Ａへ出力する。
【００２２】
アクチュエータ出力回路２５Ａは、ルーバやファンのモータなどの室内機２０Ａが備える各種アクチュエータを制御する。
計時回路２６Ａは、時間を計測する。
空調制御通信回路２７Ａは、不図示の室外機との間で制御信号を通信する。
【００２３】
（リモコンの構成）
次に無線リモコン１０Ａの機能構成について説明する。無線リモコン１０Ａは、電源回路１１Ａと、充電池１２Ａと、制御マイコン１３Ａと、温度センサ１４Ａと、室温モニタ回路１５Ａと、無線通信回路１６Ａと、操作入力回路１７Ａと、表示制御回路１８Ａと、を備える。
【００２４】
電源回路１１Ａは、充電池１２Ａから供給される電力を所定の電圧に変換して、制御マイコン１３Ａ等へ供給する。充電池１２Ａは、無線リモコン１０Ａの電源である。
【００２５】
制御マイコン１３Ａは、ＣＰＵなどを備えたコンピュータである。制御マイコン１３Ａは、無線リモコン１０Ａの起動、停止、ユーザが入力した設定情報の送信など各種動作を制御する。例えば、ユーザが設定した設定温度や、温度センサ１４Ａが計測した室温を、無線通信回路１６Ａを介して、室内機２０Ａへ送信するよう制御する。
【００２６】
温度センサ１４Ａは、無線リモコン１０Ａの周囲の室温を計測するために設けられている。温度センサ１４Ａは、例えば、サーミスタである。温度センサ１４Ａは、室温モニタ回路１５Ａと接続されている。室温モニタ回路１５Ａは、温度センサ１４Ａが計測した計測値を温度に変換して制御マイコン１３Ａへ出力する。
【００２７】
無線通信回路１６Ａは、室内機２０Ａと無線通信を行う。
操作入力回路１７Ａは、無線リモコン１０Ａが備える不図示の操作ボタンに対するユーザの操作を受け付ける。
表示制御回路１８Ａは、無線リモコン１０Ａが備える不図示の表示部の表示制御を行う。
【００２８】
同様に無線リモコン１０Ｂは、電源回路１１Ｂと、充電池１２Ｂと、制御マイコン１３Ｂと、温度センサ１４Ｂと、室温モニタ回路１５Ｂと、無線通信回路１６Ｂと、操作入力回路１７Ｂと、表示制御回路１８Ｂと、を備える。各回路などの機能は、無線リモコン１０Ａと同様の為、説明は省略する。
【００２９】
一般に室内機２０Ａは、例えば、室内機２０Ａに設けられた温度センサ２３Ａが計測する温度と、ユーザが無線リモコン１０Ａ等を用いて設定した室内の設定温度とに基づいて、不図示の室外機とともに室内温度が設定温度となるように空調制御を行う。しかし、温度センサ２３Ａが計測する温度と、室内の温度やユーザが存在する場所の温度に乖離があると、ユーザの快適性が損なわれる。そこで、本実施形態では、ユーザが体感する温度をよく反映していると考えられる温度センサを選択し、選択した温度センサが計測する温度が、設定温度に近づくように空調制御を行う。次に本実施形態による温度センサの選択および空調制御について図２、図３を参照して説明する。
【００３０】
（制御方法）
図２は、本発明の第一実施形態における空調制御の一例を示す第１の図である。
初期設定として、室内機２０Ａが備える温度センサ２３Ａが、空調制御に使用する温度センサとして選択されているとする。
まず、ユーザが、無線リモコン１０Ａ、又は、無線リモコン１０Ｂを用いて冷房または暖房を指定して目標となる室温（設定温度）を設定する。ここでは、無線リモコン１０Ａが設定を受け付けたとする。無線リモコン１０Ａでは、操作入力回路１７Ａがユーザによる操作を受け付ける。次に制御マイコン１３Ａがユーザの操作に対応する設定情報の送信を無線通信回路１６Ａに指示する。無線通信回路１６Ａは、設定情報（例えば、冷房で設定温度２８℃など）を室内機２０Ａに送信する。
【００３１】
室内機２０Ａでは、無線通信回路２１Ａが設定情報を受信して、制御マイコン２２Ａに出力する。制御マイコン２２Ａは、設定情報を取得する（ステップＳ１１）。次に制御マイコン２２Ａは、空調制御に用いる温度センサを選択する（ステップＳ１２）。
【００３２】
「選択方法０１」
制御マイコン２２Ａは、ユーザが最後に設定操作に用いた無線リモコン１０Ａを、ユーザの近い位置に存在しているとみなし、無線リモコン１０Ａが備える温度センサ１４Ａを選択する。
【００３３】
「選択方法０２」
制御マイコン２２Ａは、操作頻度が高い無線リモコン１０Ａ等を選択する。例えば、制御マイコン２２Ａは、計時回路２６Ａを用いて、設定情報を受け付けた時刻を記憶しておく。そして、制御マイコン２２Ａは、過去の所定期間において、無線リモコン１０Ａから設定情報を取得した回数と、無線リモコン１０Ｂから設定情報を取得した回数とを比較して多い方を選択する。設定情報を取得した回数は、その無線リモコン１０Ａ等がユーザによって使用された回数を示す。従って、ユーザに使用された回数が多い程、その無線リモコン１０Ａ等の近くにユーザが存在していることが多いと考えられる。制御マイコン２２Ａは、例えば、無線リモコン１０Ａから設定情報を取得した回数が多い（操作頻度が高い）場合、無線リモコン１０Ａの温度センサ１４Ａを選択する。
【００３４】
次に制御マイコン２２Ａは、ステップＳ１２で選択した温度センサを用いて空調制御を行う（ステップＳ１３）。例えば、「選択方法０１」で温度センサ１４Ａが選択された場合、制御マイコン２２Ａは、所定の周期で無線リモコン１０Ａから受信する温度センサ１４Ａによって計測された温度が、設定温度２８℃となるように空調制御を行う。この場合、吸込口の温度センサ２３Ａが計測する温度や、無線リモコン１０Ｂの温度センサ１４Ｂが計測する温度は使用しない。また、「選択方法０２」で無線リモコン１０Ｂが選択された場合、制御マイコン２２Ａは、所定の周期で無線リモコン１０Ｂから受信する温度センサ１４Ｂによって計測された温度が、設定温度２８℃となるように空調制御を行う。
これにより、例えば、室内機２０Ａの温度センサ２３Ａが計測する温度と温度センサ１４Ａや温度センサ１４Ｂが計測する温度に乖離があるような場合、ユーザに近い場所の温度に基づいて空調制御を行うことができる。
【００３５】
なお、ステップＳ１２の処理で、例えば、温度センサ１４Ａを選択した場合、温度センサ１４Ａが計測する温度と温度センサ２３Ａが計測する温度との差が所定の閾値以上の場合のみ、空調制御に用いる温度センサを温度センサ２３Ａから温度センサ１４Ａに切り替えるようにしてもよい。
【００３６】
次に温度センサ選択の他の方法について説明する。
図３は、本発明の第一実施形態における空調制御の一例を示す第２の図である。
図２と同様の処理については簡単に説明する。まず、ユーザが、無線リモコン１０Ａへ空調の設定情報を入力する。無線リモコン１０Ａは、入力された設定情報を室内機２０Ａに送信する。室内機２０Ａでは、無線通信回路２１Ａが設定内容を受信して、制御マイコン２２Ａに出力する。制御マイコン２２Ａは、設定情報を取得する（ステップＳ１１）。次に制御マイコン２２Ａは、空調制御に用いる温度センサを複数、選択する（ステップＳ１２１）。
【００３７】
「選択方法１１」
制御マイコン２２Ａは、ユーザが設定操作に用いた無線リモコン１０Ａが、ユーザの近い位置に存在しているとみなし、無線リモコン１０Ａが備える温度センサ１４Ａと室内機２０Ａが備える温度センサ２３Ａとを選択する。
【００３８】
「選択方法１２」
制御マイコン２２Ａは、過去の所定期間において設定情報を受信した回数が最も多い無線リモコン１０Ａ等の温度センサと、室内機２０Ａが備える温度センサ２３Ａとを選択する。
【００３９】
「選択方法１３」
制御マイコン２２Ａは、過去の所定期間において設定情報を受信した回数が所定回数以上の無線リモコン１０Ａ等の温度センサを全て選択する。
【００４０】
次に制御マイコン２２Ａは、ステップＳ１２１で選択した複数の温度センサを用いて参照用温度を算出する（ステップＳ１２２）。
例えば、「選択方法１１」で無線リモコン１０Ａの温度センサ１４Ａと室内機２０Ａの温度センサ２３Ａが選択された場合、制御マイコン２２Ａは、例えば、次の式（１）によって選択した温度センサ１４Ａ，２３Ａが計測する温度の加重平均を算出する。但し、αは１以下の所定の定数である。
参照用温度＝α×（温度センサ１４Ａが計測した温度）＋（１-α）×（温度センサ２３Ａが計測した温度）・・・（１）
制御マイコン２２Ａは、算出した値を参照用温度として設定する。「選択方法１２」の場合も同様である。
【００４１】
「選択方法１３」で温度センサ１４Ａと温度センサ１４Ｂが選択された場合、制御マイコン２２Ａは、例えば、次の式（２）によって選択した温度センサ１４Ａ，１４Ｂの加重平均を算出する。但し、β、γはそれぞれ無線リモコン１０Ａから所定期間内に設定情報を受信した回数、無線リモコン１０Ｂから所定期間内に設定情報を受信した回数である。
参照用温度＝｛β×（温度センサ１４Ａが計測した温度）＋γ×（温度センサ１４Ｂが計測した温度）｝÷（β＋γ）・・・（２）
制御マイコン２２Ａは、算出した値を参照用温度として設定する。
【００４２】
次に制御マイコン２２Ａは、ステップＳ１２２で算出した参照用温度を用いて空調制御を行う（ステップＳ１３１）。具体的には、制御マイコン２２Ａは、参照用温度が、設定温度となるように空調制御を行う。
【００４３】
「選択方法１１」又は「選択方法１２」のような制御により、温度センサ２３Ａが計測する温度をユーザに近い場所で測定した温度で補正した参照用温度に基づいて空調制御を行うことが可能となる。例えば、室内機２０Ａの温度センサ２３Ａが計測する温度とユーザが体感する温度に乖離があるような場合に、よりユーザが感じる温度に近い温度を基準として室温を調整することができるので、ユーザの快適性が向上する。
【００４４】
また、「選択方法１３」のような制御により、複数の無線リモコン１０Ａ等の操作頻度に応じて、操作頻度が高い無線リモコン１０Ａ等で計測された温度に重きを置いた参照用温度を設定することができる。操作頻度の高低は、ユーザが存在する時間や頻度を反映すると考えられるため、ユーザが存在する確率が高い場所の温度に重きを置いた空調制御により、ユーザの快適性の向上が期待できる。
【００４５】
＜第二実施形態＞
以下、本発明の第二実施形態による空調制御について図４、図５を参照して説明する。
図４は、本発明の第二実施形態における空調システムの一例を示すブロック図である。
図示するように空調システムは、室内機２０Ａ，２０Ｂ、無線リモコン１０Ａ，１０Ｂを備える。室内機２０Ｂを備える点が第一実施形態の空調システムと異なる。室内機２０Ｂの機能構成は、室内機２０Ａと同様の為、説明を省略する。なお、室内機２０Ａ等は、３台以上存在していてもよい。
【００４６】
図４に例示する空調システムでは、無線リモコン１０Ａ，１０Ｂと室内機２０Ａおよび室内機２０Ｂとは対応付けられている。つまり、無線リモコン１０Ａ、１０Ｂの何れからも室内機２０Ａおよび室内機２０Ｂに対して冷暖房運転の開始や終了、室内温度の設定などの操作が可能であるとする。また、室内機２０Ａおよび室内機２０Ｂの何れに対して設定情報が送信されても、室内機２０Ａおよび室内機２０Ｂは同じ設定温度を目標として空調制御を行うとする。
【００４７】
室内機２０Ａと無線リモコン１０Ａは所定の周期で通信を行っている。例えば、無線リモコン１０Ａは、無線リモコン１０Ａが備える温度センサ１４Ａが計測した温度を所定の周期ごとに室内機２０Ａへ送信する。同様に室内機２０Ａと無線リモコン１０Ｂは所定の周期で通信を行っている。例えば、無線リモコン１０Ｂは、温度センサ１４Ｂが計測した温度を所定の周期ごとに室内機２０Ａへ送信する。また、室内機２０Ａと室内機２０Ｂは所定の周期で通信する。室内機２０Ａは、温度センサ２３Ａが計測した温度を室内機２０Ｂへ送信する。室内機２０Ｂは、温度センサ２３Ｂが計測した温度を室内機２０Ａへ送信する。
【００４８】
また、室内機２０Ａおよび室内機２０Ｂは、自分に近い位置に存在する無線リモコン１０Ａ等を把握できる。以下、無線リモコン１０Ａは、室内機２０Ｂに比べて室内機２０Ａの近くに存在し、室内機２０Ａは、無線リモコン１０Ａが近い位置に存在することを認識しているとする。また、無線リモコン１０Ｂは、室内機２０Ａに比べて室内機２０Ｂの近くに存在し、室内機２０Ｂは、無線リモコン１０Ｂが近い位置に存在することを認識しているとする。
【００４９】
例えば、制御マイコン２２Ａは、無線リモコン１０Ａ，１０Ｂの各々から受信した信号の電波強度に基づいて、室内機２０Ａに近い無線リモコンが無線リモコン１０Ａであるか、無線リモコン１０Ｂであるかを判断し、その判断結果に基づいて、無線リモコン１０Ａが近い位置に存在することを認識してもよい。
【００５０】
図５は、本発明の第二実施形態における空調制御の一例を示す図である。
図２と同様の処理については簡単に説明する。まず、ユーザが、無線リモコン１０Ｂへ空調の設定情報を入力する。無線リモコン１０Ｂは、入力された設定情報を室内機２０Ａに送信する。室内機２０Ａでは、無線通信回路２１Ａが設定内容を受信して、制御マイコン２２Ａに出力する。制御マイコン２２Ａは、設定情報を取得する（ステップＳ２１）。次に制御マイコン２２Ａは、所定の無線リモコン１０Ａ等に最も近い室内機の温度センサを選択する（ステップＳ２２）。ここで、所定の無線リモコン１０Ａ等とは、第一実施形態の図２を参照して説明した「選択方法０１」、「選択方法０２」の何れかで決定することができる。「選択方法０１」の方法によれば、制御マイコン２２Ａは、無線リモコン１０Ｂを、所定の無線リモコンとして決定する。また、無線リモコン１０Ｂの操作頻度が高いとすると「選択方法０２」の方法によれば、制御マイコン２２Ａは、無線リモコン１０Ｂを、所定の無線リモコンとして決定する。制御マイコン２２Ａは、決定した無線リモコン１０Ｂに近い室内機２０Ｂが備える温度センサ２３Ｂを選択する。
【００５１】
次に制御マイコン２２Ａは、ステップＳ２２で選択した温度センサ２３Ｂを用いて空調制御を行う（ステップＳ２３）。具体的には、制御マイコン２２Ａは、温度センサ２３Ｂが計測する温度が、設定温度となるように空調制御を行う。制御マイコン２２Ａは、温度センサ２３Ｂを選択したことや、設定温度を室内機２０Ｂへ送信する。室内機２０Ｂでは、制御マイコン２２Ｂが、温度センサ２３Ｂが計測する温度が設定温度となるように空調制御を行う。
【００５２】
図４に例示する空調システムでは、無線リモコン１０Ａ、１０Ｂがそれぞれ、温度センサ１４Ａ，１４Ｂを備えることとしたが、図５を参照して説明した処理であれば、無線リモコン１０Ａ等が温度センサを備えていなくても、ユーザにより近い位置の室内機２０Ｂの温度センサ２３Ｂを用いて空調制御を行うことができ、ユーザ快適性の向上が期待できる。
【００５３】
また、図３を参照して説明した処理と同様に、図５のステップＳ２２で、室内機２０Ｂの温度センサ２３Ｂを選択した後は、無線リモコン１０Ｂの温度センサ１４Ｂが計測する温度と、「選択方法０１」又は「選択方法０２」によって選択された温度センサ２３Ｂが計測する温度との荷重平均を上記の式（１）によって算出し、算出した参照用温度が設定温度となるように空調制御を行ってもよい。
【００５４】
図６は、本発明の一実施形態における空調システムのハードウェア構成の一例を示す図である。
コンピュータ９００は、ＣＰＵ９０１、主記憶装置９０２、補助記憶装置９０３、入出力インタフェース９０４、通信インタフェース９０５を備える。
上述の制御マイコン１３Ａ，１３Ｂ、制御マイコン２２Ａ，２２Ｂの各々は、コンピュータ９００を備える。そして、上述した各機能は、プログラムの形式で補助記憶装置９０３に記憶されている。ＣＰＵ９０１は、プログラムを補助記憶装置９０３から読み出して主記憶装置９０２に展開し、当該プログラムに従って上記処理を実行する。また、ＣＰＵ９０１は、プログラムに従って、記憶領域を主記憶装置９０２に確保する。また、ＣＰＵ９０１は、プログラムに従って、処理中のデータを記憶する記憶領域を補助記憶装置９０３に確保する。
【００５５】
制御マイコン１３Ａ，１３Ｂ、制御マイコン２２Ａ，２２Ｂの全部または一部の機能を実現するためのプログラムをコンピュータ読み取り可能な記録媒体に記録して、この記録媒体に記録されたプログラムをコンピュータシステムに読み込ませ、実行することにより各機能部による処理を行ってもよい。なお、ここでいう「コンピュータシステム」とは、ＯＳや周辺機器等のハードウェアを含むものとする。また、「コンピュータシステム」は、ＷＷＷシステムを利用している場合であれば、ホームページ提供環境（あるいは表示環境）も含むものとする。また、「コンピュータ読み取り可能な記録媒体」とは、ＣＤ、ＤＶＤ、ＵＳＢ等の可搬媒体、コンピュータシステムに内蔵されるハードディスク等の記憶装置のことをいう。また、このプログラムが通信回線によってコンピュータ９００に配信される場合、配信を受けたコンピュータ９００が当該プログラムを主記憶装置９０２に展開し、上記処理を実行しても良い。また、上記プログラムは、前述した機能の一部を実現するためのものであっても良く、さらに前述した機能をコンピュータシステムにすでに記録されているプログラムとの組み合わせで実現できるものであってもよい。
【００５６】
その他、本発明の趣旨を逸脱しない範囲で、上記した実施の形態における構成要素を周知の構成要素に置き換えることは適宜可能である。また、この発明の技術範囲は上記の実施形態に限られるものではなく、本発明の趣旨を逸脱しない範囲において種々の変更を加えることが可能である。
【符号の説明】
【００５７】
１０Ａ、１０Ｂ・・・無線リモコン
１１Ａ、１１Ｂ・・・電源回路
１２Ａ、１２Ｂ・・・充電池
１３Ａ、１３Ｂ・・・制御マイコン
１４Ａ、１４Ｂ・・・温度センサ
１５Ａ、１５Ｂ・・・室温モニタ回路
１６Ａ、１６Ｂ・・・無線通信回路
１７Ａ、１７Ｂ・・・操作入力回路
１８Ａ、１８Ｂ・・・表示制御回路
２０Ａ、２０Ｂ・・・室内機
２１Ａ、２１Ｂ・・・無線通信回路
２２Ａ、２２Ｂ・・・制御マイコン
２３Ａ、２３Ｂ・・・温度センサ
２４Ａ、２４Ｂ・・・センサ入力回路
２５Ａ、２５Ｂ・・・アクチュエータ出力回路
２６Ａ、２６Ｂ・・・計時回路
２７Ａ、２７Ｂ・・・空調制御通信回路
９００・・・コンピュータ
９０１・・・ＣＰＵ
９０２・・・主記憶装置
９０３・・・補助記憶装置
９０４・・・入出力インタフェース
９０５・・・通信インタフェース
【図１】
2020201018.tif 000003
【図２】
2020201018.tif 000004
【図３】
2020201018.tif 000005
【図４】
2020201018.tif 000006
【図５】
2020201018.tif 000007
【図６】
2020201018.tif 000008